(57)【要約】【課題】配線作業性に優れた住宅用分電盤を提供する。【解決手段】住宅用分電盤１は、電線６０が接続される電線接続部１６ｂを有する分岐ブレーカ１６と、分岐ブレーカ１６が装着される基台２と、基台２に取り付けられ、電線接続部１６ｂに接続される電線６０を保持する配線保持部材３０と、を備えている。又、基台２は、開口部を有する枠状であり、基台２における、装着された分岐ブレーカ１６の電線接続部１６ｂの側の部分は、棒状部２ｃ，２ｄとなっており、棒状部２ｃ，２ｄは、電線接続部１６ｂの側において、傾斜面６ａ，６ｂを備えており、配線保持部材３０は、傾斜面６ａ，６ｂに取り付けられる。【選択図】図４
2019054590.tif 000002
【特許請求の範囲】
【請求項１】
電線が接続される電線接続部を有する分岐ブレーカと、
前記分岐ブレーカが装着される基台と、
前記基台に取り付けられ、前記電線接続部に接続される前記電線を保持する配線保持部材と、を備えている
ことを特徴とする住宅用分電盤。
【請求項２】
前記基台は、開口部を有する枠状であり、
前記基台における、装着された前記分岐ブレーカの前記電線接続部の側の部分は、棒状部となっており、
前記棒状部は、前記電線接続部の側において、傾斜面を備えており、
前記配線保持部材は、前記傾斜面に取り付けられる
ことを特徴とする請求項１に記載の住宅用分電盤。
【請求項３】
前記基台は、前記分岐ブレーカを装着するための分岐ブレーカ装着部を複数有しており、
前記配線保持部材は、各前記分岐ブレーカ装着部に対応して設けられた配線受け部を有している
ことを特徴とする請求項１又は請求項２に記載の住宅用分電盤。
【請求項４】
前記基台は、前記分岐ブレーカを装着するための分岐ブレーカ装着部を複数有しており、
前記配線保持部材は、一部又は全部の前記分岐ブレーカ装着部に対応して設けられた配線受け部を有している
ことを特徴とする請求項１又は請求項２に記載の住宅用分電盤。
【請求項５】
前記配線受け部は、開閉可能な開閉部を有している
ことを特徴とする請求項３又は請求項４に記載の住宅用分電盤。
【発明の詳細な説明】
【技術分野】
【０００１】
本発明は、配電機器を組み付ける基台を有する住宅用分電盤に関する。
【背景技術】
【０００２】
主幹ブレーカや分岐ブレーカ等の配電機器を組み付ける基台（下箱）、及びその開口を塞ぐカバー（上箱）を有する分電盤として、特開平６−３１５２０９号公報（特許文献１）に記載のものが知られている。
この分電盤では、基台の側板における底板近傍に形成されており壁材へ嵌合する嵌合部の一辺に、底板に連設された基端から先端に向かって上向傾斜状に形成される入線部を有している。基台内には、その入線部に配置された複数の入線室を介して、電線導体が導入される。
【先行技術文献】
【特許文献】
【０００３】
【特許文献１】特開平６−３１５２０９号公報
【発明の概要】
【発明が解決しようとする課題】
【０００４】
上述の分電盤では、入線室が箱状の基台の側板に形成されているため、電線導体の方向や配置等が限定され、電線導体の作業性に更なる向上の余地がある。
特に、近時、分岐ブレーカが薄型化しており（いわゆるブレードブレーカ）、配線の作業性の更なる良好化が望まれている。
本発明の主な目的は、配線作業性に優れた住宅用分電盤を提供することである。
【課題を解決するための手段】
【０００５】
上記目的を達成するために、請求項１に記載の発明は、電線が接続される電線接続部を有する分岐ブレーカと、前記分岐ブレーカが装着される基台と、前記基台に取り付けられ、前記電線接続部に接続される前記電線を保持する配線保持部材と、を備えていることを特徴とするものである。
請求項２に記載の発明は、上記発明において、前記基台は、開口部を有する枠状であり、前記基台における、装着された前記分岐ブレーカの前記電線接続部の側の部分は、棒状部となっており、前記棒状部は、前記電線接続部の側において、傾斜面を備えており、前記配線保持部材は、前記傾斜面に取り付けられることを特徴とするものである。
請求項３に記載の発明は、上記発明において、前記基台は、前記分岐ブレーカを装着するための分岐ブレーカ装着部を複数有しており、前記配線保持部材は、各前記分岐ブレーカ装着部に対応して設けられた配線受け部を有していることを特徴とするものである。
請求項４に記載の発明は、上記発明において、前記基台は、前記分岐ブレーカを装着するための分岐ブレーカ装着部を複数有しており、前記配線保持部材は、一部又は全部の前記分岐ブレーカ装着部に対応して設けられた配線受け部を有していることを特徴とするものである。
請求項５に記載の発明は、上記発明において、前記配線受け部は、開閉可能な開閉部を有していることを特徴とするものである。
【発明の効果】
【０００６】
本発明の主な効果は、配線作業性に優れた住宅用分電盤が提供されることである。
【図面の簡単な説明】
【０００７】
【図１】本発明の第１形態に係る住宅用分電盤の開扉斜視図である。
【図２】図１の前面図である。
【図３】図１のＡ−Ａ線断面図である。
【図４】図１の住宅用分電盤に係る基台及びこれに装着され配線された分岐ブレーカの斜視図である。
【図５】図４から分岐ブレーカないし電線を外した状態の斜視図である。
【図６】図５から配線保持部材を外した状態の斜視図である。
【図７】図４の配線保持部材の斜視図である。
【図８】図４の配線保持部材に係る取付前の（ａ）上面図，（ｂ）（ａ）のＢ−Ｂ線断面図，（ｃ）前面図，（ｄ）後面図，（ｅ）右側面図である。
【図９】本発明の第２形態に係る住宅用分電盤の基台の斜視図である。
【図１０】本発明の第３形態に係る住宅用分電盤の基台の斜視図である。
【図１１】本発明の第４形態に係る住宅用分電盤の基台の斜視図である。
【発明を実施するための形態】
【０００８】
以下、本発明に係る実施の形態やその変更例が、適宜図面に基づいて説明される。尚、本発明は、下記の実施の形態や変更例に限定されない。
【０００９】
［第１形態］
図１は、本発明の第１形態に係る住宅用分電盤１の開扉斜視図であり、図２は、住宅用分電盤１の開扉前面図であり、図３は、図２のＡ−Ａ線断面図である。
住宅用分電盤１は、壁面に設置される基台２と、基台２の前側を覆うカバー４と、を備えている。
【００１０】
図４〜図６にも示される基台２は、矩形の枠であり、中央向かってやや左に、上下方向の柱状部２ａが一体で形成されていて、左の開口部と、これより大きい右の開口部とを有している。
基台２の前面には、他の部分より前方に突出する位置決めリブ２ｂが、複数設けられている。
基台２における左の開口部の下部に位置して左右に延びる棒状の左下棒状部２ｃは、後から前に掛けて下がる前下がりの傾斜面６ａを有している。傾斜面６ａは、平面であり、左下棒状部２ｃの左上部に配置され、左の開口部の内側部分に配置されている。傾斜面６ａの前辺は、隣接する位置決めリブ２ｂの上側に位置している。
又、基台２における右の開口部の下部に位置して左右に延びる棒状の右下棒状部２ｄは、後から前に掛けて下がる前下がりの傾斜面６ｂを有している。傾斜面６ｂは、平面であり、右下棒状部２ｄの上部に配置され、右の開口部の内側部分に配置されている。傾斜面６ｂの端部である前辺は、位置決めリブ２ｂの上側に位置しており、位置決めリブ２ｂに隣接している。
【００１１】
基台２の前側には、板状の架台８が取り付けられる。基台２に取り付けられた架台８は、左右の開口部の大部分を覆う。
架台８は、配電機器としての、主幹ブレーカ装着部１０と、複数の分岐ブレーカ装着部１２と、を備えている。主幹ブレーカ装着部１０には、主幹ブレーカ１４が装着され、分岐ブレーカ装着部１２には、分岐ブレーカ１６が装着される。尚、図４では、分岐ブレーカ１６が２個装着されているところ、分岐ブレーカ１６は、必要に応じ、１個のみ装着されても良いし、３個以上装着されても良い。図１，図２では、多数の分岐ブレーカ１６が装着されている。
基台２には、架台８を介して、配電機器が装着される。
【００１２】
カバー４は、基台２ないしは配電機器付きの架台８の一部を覆う箱状のカバー枠２０と、その前側に開閉自在に設けられる扉２２と、を有する。カバー４及び基台２、あるいはこれらと架台８とは、住宅用分電盤ケースを構成する。
カバー枠２０の窓２０ａから、主幹ブレーカ１４の操作部１４ａが露出しており、他の窓２０ｂから、複数の分岐ブレーカ１６の各操作部１６ａが露出している。
扉２２は、上部の左右に設けられた蝶番２４によって、上辺の周りでカバー枠２０に対し開閉自在とされている。
カバー４は、基台２の位置決めリブ２ｂにより、位置決めされる。即ち、後方に開放した箱状のカバー枠２０における上板部の後端部や下板部の後端部、左板部の後端部や右板部の後端部が、基台２の前面の上下左右に配置された位置決めリブ２ｂに接触する。各位置決めリブ２ｂは、カバー枠２０の後開口部の内側に位置する。
【００１３】
基台２の右下棒状部２ｄの傾斜面６ｂには、合成樹脂製の配線保持部材３０が設けられる。尚、図３，図６では、配線保持部材３０は取り外されている。
図７，図８にも示される配線保持部材３０は、左右に延びるベース部３２と、ベース部３２の下面から下方へ突出する突体３４と、ベース部３２の上面前部から上方に突出する複数の前配線受け部３６と、ベース部３２の上面後部から上方に突出する複数の後配線受け部３８と、を有している。
配線保持部材３０は、各突体３４に対応するように傾斜面６ｂに設けられた被係止孔３９（図６参照）に、対応する突体３４が入ることで、傾斜面６ｂに係止される。傾斜面６ｂには、ベース部３２の下面が接する。
【００１４】
複数の前配線受け部３６は、左右に並べられている。
各前配線受け部３６は、断面Ｔ字状の台部４０と、台部４０の上面右部から上方及び左方に倒Ｌ字状に突出した開閉部としての開閉爪部４２と、台部４０の上面左部から上方に突出した爪受け部４４と、を有する。
開閉爪部４２は、左の先端部において、下方に断面Ｕ字状に折れ曲がる爪部４２ａを有している。又、開閉爪部４２のコーナー部は、他の部分より薄く形成されており、開閉爪部４２は、そのコーナー部を中心として、左右に延びる部分が水平姿勢から左上がりの姿勢まで移動可能である。
爪受け部４４は、開閉爪部４２の爪部４２ａを受け入れる。爪部４２ａは鉤を有しており、爪受け部４４はその鉤が掛かる段部を有している。爪受け部４４に爪部４２ａが入ると、開閉爪部４２は水平姿勢となり、爪受け部４４や台部４０と共にリング状となる（閉状態）。又、開閉爪部４２の先端が右に押されて上述の鉤が段部から外された状態で、開閉爪部４２が上方に引かれると、開閉爪部４２の左右に延びる部分は爪受け部４４から離れてＧ字状となる（開状態，図５参照）。
【００１５】
他方、複数の後配線受け部３８は、前配線受け部３６の後において、左右に並べられている。２個の前配線受け部３６の間に、１個の後配線受け部３８が配置され、即ち前配線受け部３６と後配線受け部３８とは、左右方向において互い違いに配置される。又、前配線受け部３６と後配線受け部３８とは、同数設けられる。
各後配線受け部３８は、台部４０がなく、開閉爪部５２及び爪受け部５４がベース部３２上面から上方に突出していることを除き、前配線受け部３６と同様に形成される。開閉爪部５２は、先端部に、爪部５２ａを備えている。
【００１６】
図４に示されるように、架台８に装着された分岐ブレーカ１６の下面に形成された電線接続部１６ｂに、複数の電線６０が接続される。
各電線６０は、基台２の上部後方から下方に向かい、架台８の下側を通って上方にＵ字状にターンして電線接続部１６ｂに達するように配線される。各電線６０は、分岐ブレーカ１６の交換等を考慮して、長さに余裕を持たせた状態で配線される。
基台２の右下棒状部２ｄは、電線接続部１６ｂ側において、電線接続部１６ｂに対して退くような傾斜面６ｂを有するため、傾斜面６ｂがなく四角柱状である場合に比べ、電線６０を通し易い。傾斜面６ｂは前下がりであり、電線６０のターン部に沿っていて、電線６０の配線が行い易い。傾斜面６ｂの前辺（下辺）は、位置決めリブ２ｂの上側に達しており、位置決めリブ２ｂのカバー４を位置決めする機能を損なわない状態で、最大限傾斜して配線し易いものとなっている。
【００１７】
又、電線６０は、対応する前配線受け部３６や後配線受け部３８、即ち接続先の分岐ブレーカ１６の下方に位置する前配線受け部３６や後配線受け部３８に通すことができる。
即ち、前配線受け部３６や後配線受け部３８が開状態とされた後で、電線６０が通され、そして前配線受け部３６や後配線受け部３８が閉状態とされると、前配線受け部３６や後配線受け部３８内で電線６０が保持され、配線の前配線受け部３６外や後配線受け部３８外への移動が防止される。よって、配線が接続先の分岐ブレーカ１６の下側という適切な位置に保持され、電線６０の接続が確実に維持されるし、他の分岐ブレーカ１６の配線時に既設の配線が邪魔にならない。
他方、前配線受け部３６や後配線受け部３８が閉状態から開状態とされれば、配線作業者は、前配線受け部３６や後配線受け部３８に保持された電線６０を外すことができる。
【００１８】
又、架台８における主幹ブレーカ装着部１０より向かって左の分岐ブレーカ装着部１２に装着される分岐ブレーカ１６について、左下棒状部２ｃにおける傾斜面６ａの形成により、右下棒状部２ｄの傾斜面６ｂの場合と同様に、配線が行い易い。
更に、配線保持部材３０と長さや各配線受け部の数を除いて同様に成る配線保持部材（図示略）が傾斜面６ａに係止されるようにすれば、左の分岐ブレーカ装着部１２に装着される分岐ブレーカ１６について、配線が保持されるようになる。
【００１９】
かような住宅用分電盤１は、電線６０が接続される電線接続部１６ｂを有する分岐ブレーカ１６と、分岐ブレーカ１６が装着される基台２と、基台２に取り付けられ、電線接続部１６ｂに接続される電線６０を保持する配線保持部材３０と、を備えている。よって、基台２や分岐ブレーカ１６の形状あるいは分岐ブレーカ装着部１２の配置にかかわらず、配線保持部材３０の形状が自由に形成可能であり、住宅用分電盤１やその設置箇所に適した形状の配線保持部材３０が取り付けられることで、住宅用分電盤１の配線作業性が極めて良好になる。又、配線作業者は、基台２と架台８との間の開口部全体を開放する必要が生じた場合等の状況に応じ、配線保持部材３０を取り外すことができ、このような観点からも配線作業性が向上するものである。
又、基台２は、開口部を有する枠状であり、基台２における、装着された分岐ブレーカ１６の電線接続部１６ｂの側の部分は、棒状部２ｃ，２ｄとなっており、棒状部２ｃ，２ｄは、電線接続部１６ｂの側において、傾斜面６ａ，６ｂを備えており、配線保持部材３０は、傾斜面６ａ，６ｂに取り付けられる。よって、配線保持部材３０は、配線保持部である前配線受け部３６及び後配線受け部３８が、電線６０の基側から電源接続部１６ｂに向かうように取り付けられ、電線６０をより一層配置し易いものとなる。
更に、基台２は、分岐ブレーカ１６を装着するための分岐ブレーカ装着部１２を複数有しており、配線保持部材３０は、各分岐ブレーカ装着部１２に対応して設けられた前配線受け部３６及び後配線受け部３８を有している。よって、分岐ブレーカ１６毎に電線６０をまとめることができる。
加えて、各前配線受け部３６及び各後配線受け部３８は、開閉可能な開閉爪部４２を有している。よって、配線作業者は、電線６０につき、開閉爪部４２を開いて対応する前配線受け部３６あるいは後配線受け部３８に入れ、開閉爪部４２を閉じることで、電線６０を対応する前配線受け部３６あるいは後配線受け部３８に確実に保持させることができる。
【００２０】
尚、住宅用分電盤１は、適宜次のような変更例を有する。
即ち、傾斜面の配置は、左下棒状部の全体にわたるようにされたり、右下棒状部の一部にわたるようにされたり、右下棒状部において複数に分かれた状態とされたりしても良い。傾斜面は、曲面であっても良いし、曲面と平面とを含んでいても良いし、複数設けられる場合に互いに異なる傾斜角ないし形状とされても良い。
配線保持部材は、一箇所の傾斜面に複数設けられても良いし、傾斜面の一部のみに設けられても良いし、傾斜面以外に設けられても良い。配線保持部材の基台への係止は、配線保持部材に設けられた突体の、基台に設けられた被係止孔への係止に限られず、基台に設けられた突体や受け部（係止部）の、配線保持部材（に設けられた被係止孔，被係止部）への係止等であっても良い。配線保持部材の材質は、合成樹脂以外であっても良い。
分岐ブレーカの電線接続部が上になるように装着される場合には、傾斜面や配線保持部材は、基台の上側の棒状部に設けられても良い。
前配線受け部及び後配線受け部は、同数でなくても良い。配線受け部は、前後２列ではなく、１列であるいは３列以上で並べられても良い。配線受け部の開閉爪部の爪部及び爪受け部は、ピン及びピン受け部等の他の係止部及び被係止部とされても良い。
【００２１】
［第２形態］
図９は、本発明の第２形態に係る住宅用分電盤における架台８付き基台１０２の斜視図である。
第２形態の住宅用分電盤は、基台に取り付けられる配線保持部材を除き、第１形態と同様に成る。第１形態と同様に成る部材や部分等は、同じ符号が付されて適宜説明が省略される。
【００２２】
基台１０２の右下棒状部２ｄの傾斜面６ｂには、配線保持部材１３０が設けられる。
配線保持部材１３０は、左右に延びるベース部３２と、ベース部３２の下面から下方へ突出する突体３４（図９では省略）と、ベース部３２の上面前部から上方に突出する複数の前配線受け部１３６と、ベース部３２の上面後部から上方に突出する複数の後配線受け部１３８と、を有している。
【００２３】
複数の前配線受け部１３６は、左右に並べられている。
各前配線受け部１３６は、断面Ｔ字状の台部１４０と、台部１４０の上面における左右の端部から上方及び内方に倒Ｊ字状に突出した一対の返し部１４２と、を有する。これら返し部１４２の間隔は、電線６０の直径と同等か、あるいは返し部１４２の弾性により電線６０の直径と同等以上に広がり得る程度とされている。一対の返し部１４２は、その間の中央を通り台部１４０と平行である仮想的な中心線を中心として互いに線対称となる形状ないし配置を有している。
【００２４】
他方、複数の後配線受け部１３８は、前配線受け部１３６の後において、左右に並べられている。２個の前配線受け部１３６の間に、１個の後配線受け部１３８が配置され、即ち前配線受け部１３６と後配線受け部１３８とは、左右方向において互い違いに配置される。又、前配線受け部１３６と後配線受け部１３８とは、同数設けられる。
各後配線受け部１３８は、台部１４０がなく、一対の返し部１５２がベース部３２上面から上方に突出していることを除き、前配線受け部１３６と同様に形成される。
【００２５】
電線６０は、対応する前配線受け部１３６や後配線受け部１３８、即ち接続先の分岐ブレーカ１６の下方に位置する前配線受け部１３６や後配線受け部１３８に通すことができる。
即ち、配線作業者は、前配線受け部１３６や後配線受け部１３８における一対の返し部１４２や返し部１５２の間に電線６０を入れることで、前配線受け部１３６や後配線受け部１３８内で電線６０が保持され、配線の前配線受け部１３６外や後配線受け部１３８外への移動が防止される。電線６０は、台部１４０あるいはベース部３２と、一対の返し部１４２あるいは返し部１５２の内方に位置し、返し部１４２あるいは返し部１５２の間から出ようとしても、返し部１４２あるいは返し部１５２により阻止される。よって、配線が接続先の分岐ブレーカ１６の下側という適切な位置に保持され、電線６０の接続が確実に維持されるし、他の分岐ブレーカ１６の配線時に既設の配線が邪魔にならない。
他方、配線作業者は、返し部１４２あるいは返し部１５２を適宜広げてその間において電線を通過させることにより、前配線受け部１３６や後配線受け部１３８に保持された電線６０を外すことができる。
更に、配線保持部材１３０と長さや各配線受け部の数を除いて同様に成る配線保持部材（図示略）が傾斜面６ａに係止されるようにすれば、左の分岐ブレーカ装着部１２に装着される分岐ブレーカ１６について、同様に配線が保持されるようになる。
【００２６】
かような第２形態の住宅用分電盤は、電線６０が接続される電線接続部１６ｂを有する分岐ブレーカ１６と、分岐ブレーカ１６が装着される基台１０２と、基台１０２に取り付けられ、電線接続部１６ｂに接続される電線６０を保持する配線保持部材１３０と、を備えている。よって、基台１０２や分岐ブレーカ１６の形状あるいは分岐ブレーカ装着部１２の配置にかかわらず、配線保持部材１３０の形状が自由に形成可能であり、住宅用分電盤やその設置箇所に適した形状の配線保持部材１３０が取り付けられることで、住宅用分電盤の配線作業性が極めて良好になる。又、配線作業者は、基台１０２と架台８との間の開口部全体を開放する必要が生じた場合等の状況に応じ、配線保持部材１３０を取り外すことができ、このような観点からも配線作業性が向上するものである。
又、基台１０２は、開口部を有する枠状であり、基台１０２における、装着された分岐ブレーカ１６の電線接続部１６ｂの側の部分は、棒状部２ｃ，２ｄとなっており、棒状部２ｃ，２ｄは、電線接続部１６ｂの側において、傾斜面６ａ，６ｂを備えており、配線保持部材１３０は、傾斜面６ａ，６ｂに取り付けられる。よって、配線保持部材１３０は、配線保持部である前配線受け部１３６及び後配線受け部１３８が、電線６０の基側から電源接続部１６ｂに向かうように取り付けられ、電線６０をより一層配置し易いものとなる。
更に、基台１０２は、分岐ブレーカ１６を装着するための分岐ブレーカ装着部１２を複数有しており、配線保持部材１３０は、各分岐ブレーカ装着部１２に対応して設けられた前配線受け部１３６及び後配線受け部１３８を有している。よって、分岐ブレーカ１６毎に電線６０をまとめることができる。
【００２７】
尚、第２形態の住宅用分電盤は、第１形態と同様である変更例を適宜有する。
特に、傾斜面６ａ，６ｂの一部又は全部において、複数種類の配線保持部材が混在していても良い。
又、一対の返し部は、互いに線対称となる形状や配置を有していなくても良く、一方が他方より大きくても良いし、互いに異なる形状であっても良いし、一方に対して他方が傾いていても良い。
【００２８】
［第３形態］
図１０は、本発明の第３形態に係る住宅用分電盤における架台８付き基台２０２の斜視図である。
第３形態の住宅用分電盤は、基台に取り付けられる配線保持部材を除き、第１形態や第２形態と同様に成る。これらの形態と同様に成る部材や部分等は、同じ符号が付されて適宜説明が省略される。
【００２９】
基台２０２の右下棒状部２ｄの傾斜面６ｂには、配線保持部材２３０が設けられる。
配線保持部材２３０は、幅の広い逆Ｕ字状であり、左右方向に長い棒状の案内部２３１と、その下方ないし後方に向かう両端部に設けられた、二股に分かれた係止部２３２と、を備えている。
配線保持部材２３０は、各係止部２３２に対応するように傾斜面６ｂに設けられた被係止孔２３４に、対応する係止部２３２が入ることで、傾斜面６ｂに係止される。配線保持部材２３０の案内部２３１は、傾斜面６ｂとの間において、電線６０の直径以上の間隔を有する。
【００３０】
電線６０は、配線受け部としての案内部２３１と、傾斜面６ｂとの間に通すことができる。
即ち、配線作業者は、これらの間において接続前の電線６０を通し、分岐ブレーカ１６に向かって電線６０を案内部２３１に適宜接触させてカーブさせた状態で、電線６０を分岐ブレーカ１６に接続することができる。かような案内部２３１による電線６０の案内ないし保持は、既設の電線６０が案内部２３１と傾斜面６ｂとの間に存在したとしても行える。案内部２３１は、右の分岐ブレーカ装着部１２の大部分（その左側及び中央）の下方に位置し、それら分岐ブレーカ装着部１２に接続される電線６０を保持可能であるし、電線６０を右にも延ばすようにすれば、右側の分岐ブレーカ装着部１２に接続される電線６０を保持可能である。
他方、配線作業者は、電線６０を分岐ブレーカ１６から外したり、あるいは配線保持部材２３０（における少なくとも一方の係止部２３２）を傾斜面６ｂから外したりすることで、電線６０を外すことができる。
更に、配線保持部材２３０と長さを除いて同様に成る配線保持部材（図示略）が傾斜面６ａに係止されるようにすれば、左の分岐ブレーカ装着部１２に装着される分岐ブレーカ１６について、同様に配線が保持されるようになる。
【００３１】
かような第３形態の住宅用分電盤は、電線６０が接続される電線接続部１６ｂを有する分岐ブレーカ１６と、分岐ブレーカ１６が装着される基台２０２と、基台２０２に取り付けられ、電線接続部１６ｂに接続される電線６０を保持する配線保持部材２３０と、を備えている。よって、基台２０２や分岐ブレーカ１６の形状あるいは分岐ブレーカ装着部１２の配置にかかわらず、配線保持部材２３０の形状が自由に形成可能であり、住宅用分電盤やその設置箇所に適した形状の配線保持部材２３０が取り付けられることで、住宅用分電盤の配線作業性が極めて良好になる。又、配線作業者は、基台２０２と架台８との間の開口部全体を開放する必要が生じた場合等の状況に応じ、配線保持部材２３０を取り外すことができ、このような観点からも配線作業性が向上するものである。
又、基台２０２は、開口部を有する枠状であり、基台２０２における、装着された分岐ブレーカ１６の電線接続部１６ｂの側の部分は、棒状部２ｃ，２ｄとなっており、棒状部２ｃ，２ｄは、電線接続部１６ｂの側において、傾斜面６ａ，６ｂを備えており、配線保持部材２３０は、傾斜面６ａ，６ｂに取り付けられる。よって、配線保持部材２３０は、案内部２３１が電線６０の基側から電源接続部１６ｂに向かうように案内可能な状態で取り付けられ、電線６０をより一層配置し易いものとなる。
更に、基台２０２は、分岐ブレーカ１６を装着するための分岐ブレーカ装着部１２を複数有しており、配線保持部材２３０は、右の一部あるいは全部の分岐ブレーカ装着部１２に対応して設けられた案内部２３１を有している。よって、分岐ブレーカ１６のグループ毎に電線６０を保持することができ、電線６０をある程度の自由度が存在する状態で保持することができる。
【００３２】
尚、第３形態の住宅用分電盤は、第１形態や第２形態と同様である変更例を適宜有する。
特に、配線保持部材の係止部は二股でなくても良いし、基台側に係止部が設けられ、配線保持部材に被係止部が設けられても良い。配線保持部材の案内部の長さは、傾斜面と同等以上に長くても良いし、より短くても良い。
【００３３】
［第４形態］
図１１は、本発明の第４形態に係る住宅用分電盤における架台８付き基台３０２の斜視図である。
第４形態の住宅用分電盤は、基台に取り付けられる配線保持部材を除き、第３形態と同様に成る。これらの形態と同様に成る部材や部分等は、同じ符号が付されて適宜説明が省略される。
【００３４】
第４形態の配線保持部材３３０は、左右方向に並ぶように複数設置可能とされている。
各配線保持部材３３０は、案内部３３１の長さが案内部２３１の長さより短いことを除き、第３形態と同様に成り、案内部３３１の両端部には、係止部３３２が形成される。
傾斜面６ｂには、係止部３３２が係止可能な被係止孔３３４が形成されている。
各配線保持部材３３０は、被係止孔３３４に対し、対応する何れかの係止部３３２が挿入されることで、傾斜面６ｂに係止される。
各配線保持部材３３０の案内部３３１は、傾斜面６ｂとの間において、電線６０の直径以上の間隔を有する。
【００３５】
電線６０は、第３形態と同様に、配線受け部としての各案内部３３１のうちの何れかと、傾斜面６ｂとの間に通したり、外したりすることができる。
即ち、配線作業者は、これらの間において接続前の電線６０を通し、分岐ブレーカ１６に向かって電線６０を案内部３３１に適宜接触させてカーブさせた状態で、電線６０を分岐ブレーカ１６に接続することができる。かような案内部３３１による電線６０の案内ないし保持は、既設の電線６０が案内部３３１と傾斜面６ｂとの間に存在したとしても行える。案内部３３１は、右の分岐ブレーカ装着部１２の右側，中央側，あるいは左側の下方に位置し、その上方の分岐ブレーカ装着部１２に接続される電線６０を保持可能であるし、電線６０を左又は右にも延ばすようにすれば、上方以外の分岐ブレーカ装着部１２に接続される電線６０を保持可能である。
【００３６】
かような第４形態の住宅用分電盤は、電線６０が接続される電線接続部１６ｂを有する分岐ブレーカ１６と、分岐ブレーカ１６が装着される基台３０２と、基台３０２に取り付けられ、電線接続部１６ｂに接続される電線６０を保持する配線保持部材３３０と、を備えている。よって、基台３０２や分岐ブレーカ１６の形状あるいは分岐ブレーカ装着部１２の配置にかかわらず、配線保持部材３３０の形状が自由に形成可能であり、住宅用分電盤やその設置箇所に適した形状の配線保持部材３３０が取り付けられることで、住宅用分電盤の配線作業性が極めて良好になる。又、配線作業者は、基台３０２と架台８との間の開口部全体を開放する必要が生じた場合等の状況に応じ、配線保持部材３３０を取り外すことができ、このような観点からも配線作業性が向上するものである。
又、基台３０２は、開口部を有する枠状であり、基台３０２における、装着された分岐ブレーカ１６の電線接続部１６ｂの側の部分は、棒状部２ｃ，２ｄとなっており、棒状部２ｃ，２ｄは、電線接続部１６ｂの側において、傾斜面６ａ，６ｂを備えており、配線保持部材３３０は、傾斜面６ａ，６ｂに取り付けられる。よって、配線保持部材３３０は、案内部３３１が電線６０の基側から電源接続部１６ｂに向かうように案内可能な状態で取り付けられ、電線６０をより一層配置し易いものとなる。
更に、基台３０２は、分岐ブレーカ１６を装着するための分岐ブレーカ装着部１２を複数有しており、配線保持部材３３０は、右の一部の分岐ブレーカ装着部１２に対応して設けられた案内部２３１を有している。よって、分岐ブレーカ１６のグループ毎に電線６０を保持することができ、電線６０をある程度の自由度が存在する状態で保持することができる。
【００３７】
尚、第４形態の住宅用分電盤は、第１形態ないし第３形態と同様である変更例を適宜有する。
特に、配線保持部材は、２個以下であっても良いし、４個以上であっても良い。又、複数の配線保持部材の一部は、他の配線保持部材と、長さ（左右方向の幅）等の種類が異なっていても良く、当該種類は３種類以上存在しても良い。
【符号の説明】
【００３８】
１・・住宅用分電盤、２，１０２，２０２，３０２・・基台、２ｃ，２ｄ・・棒状部、６ａ，６ｂ・・傾斜面、１２・・分岐ブレーカ装着部、１６・・分岐ブレーカ、１６ｂ・・電線接続部、３０，１３０，２３０，３３０・・配線保持部材、３６，１３６・・前配線受け部（配線受け部）、３８，１３８・・後配線受け部（配線受け部）、４２・・開閉爪部（開閉部）、６０・・電線、２３１，３３１・・案内部（配線受け部）。
【図１】
2019054590.tif 000003
【図２】
2019054590.tif 000004
【図３】
2019054590.tif 000005
【図４】
2019054590.tif 000006
【図５】
2019054590.tif 000007
【図６】
2019054590.tif 000008
【図７】
2019054590.tif 000009
【図８】
2019054590.tif 000010
【図９】
2019054590.tif 000011
【図１０】
2019054590.tif 000012
【図１１】
2019054590.tif 000013